(57)【要約】【課題】打球発射用ハンドルにより斬新な演出ができるようにすることでパチンコの遊技性を増大させる。【解決手段】遊技機の前面に突出する打球発射用ハンドル１の表面に小孔８を開設すると共に、該ハンドルの内部に吸気ポンプ１１を設け、該吸気ポンプ１１を作動させることで該小孔８から空気が吸引されるようにした。該小孔８は球面状殻部３の前面上側に開設することで、該小孔が打球発射用ハンドル１を握持する遊技者の手の平に対向するようにした。なお、吸気ポンプ１１を作動させるタイミングは遊技内容に応じて適宜設定する。【選択図】図２
2010094198.tif 000002
【特許請求の範囲】
【請求項１】
遊技機の前面に突出する打球発射用ハンドルの表面に小孔を開設すると共に、該ハンドルの内部に吸気ポンプを設け、該吸気ポンプを作動させることで該小孔から空気が吸引されるようにしたことを特徴とするパチンコ遊技機の打球発射用ハンドル。
【請求項２】
小孔を打球発射用ハンドルの球面状殻部の前面上側に開設することで、該小孔が該打球発射用ハンドルを握持する遊技者の手の平に対向するようにしたことを特徴とする請求項１に記載したパチンコ遊技機の打球発射用ハンドル。
【発明の詳細な説明】
【技術分野】
【０００１】
本発明はパチンコ遊技機の前面に設けられる打球発射用ハンドルに関するものである。
【背景技術】
【０００２】
パチンコ遊技機の打球発射用ハンドルは、下記特許文献１に示されたように、遊技機の前面に突設されたハンドル本体の外周に操作レバーが回転操作可能に設けられ、遊技者が該ハンドル本体を握持し、その指先を操作レバーに引っ掛けて該操作レバーを回転操作することにより、該ハンドル本体内に設けられた可変抵抗器が可変操作される一方、該遊技機内にロータリーソレノイド等の電磁アクチュエータを作動させることで遊技球を弾発し得る発射装置が設けられ、該電磁アクチュエータによる遊技球の弾発力は該可変抵抗器の抵抗値に従って変化することから該操作レバーを任意の回転角度に保持することで遊技球の飛距離が望みどおりに調節されるように構成したものである。
【０００３】
また、下記特許文献２に示された打球発射用ハンドルは、内部に電磁振動装置が設けられ、遊技中に該振動装置を適時作動させ、該ハンドルを握っている遊技者の手に振動を伝えることで、遊技者にインパクトを与え、遊技を面白くしようとするものである。
【特許文献１】特許第２９９５４２９号公報
【特許文献２】特許第３９４４４３１号公報
【発明の開示】
【発明が解決しようとする課題】
【０００４】
ところで、パチンコ遊技機においては、他のゲーム機と同様に、娯楽としての斬新な演出が常に求められているが、本発明はそのような観点から、打球発射用ハンドルにより斬新な演出がなされ、パチンコの遊技性をさらに増大させようとするものである。
【課題を解決するための手段】
【０００５】
そのために、本発明に係るパチンコ遊技機の打球発射用ハンドルは、遊技機の前面に突出する打球発射用ハンドルの表面に小孔を開設すると共に、該ハンドルの内部に吸気ポンプを設け、該吸気ポンプを作動させることで該小孔から空気が吸引されるようにしたことを特徴とする。
また、本発明は上記打球発射用ハンドルにおいて、小孔を打球発射用ハンドルの球面状殻部の前面上側に開設することで、該小孔が該打球発射用ハンドルを握持する遊技者の手の平に対向するようにしたことを特徴とする。
【発明の効果】
【０００６】
小孔から空気が吸引されることで、打球発射用ハンドルを握っている遊技者の手がハンドルに吸い付けられ、遊技者を驚かせるような特有の感触を与えることで、斬新な演出がなされる。このため、この演出によりパチンコの遊技性を増大させることができる。
【発明を実施するための最良の形態】
【０００７】
次に本発明の実施形態を図面に従い説明する。図１は本発明に係る打球発射用ハンドル１が設けられたパチンコ遊技機前面の一部の斜視図である。同図中、２は該遊技機の向かって右側下隅部に突設される筒状のハンドル基部、３は該打球発射用ハンドル１の前端面を覆う球面状殻部、４は該ハンドル基部２と該球面状殻部３の境界縁の外周に回転自在に設けられた環状の操作レバーで、周知のように遊技者が該操作レバー４を矢印の方向に回転操作することにより、遊技機内に設けられた発射装置が作動し、遊技盤上に遊技球が発射されると共に、該操作レバーの回転角度を変えることで該遊技球の飛距離を調節できる。
【０００８】
図２は該打球発射用ハンドル１の内部構造を示す縦断面図、図３はその分解斜視図で、５は操作レバー４の回転角度を電気信号として検出する可変抵抗器（ロータリーエンコーダ、ボリューム）である。該可変抵抗器５はハンドル基部２の前面板２ａ中心にナット５ｂにより固着され、該可変抵抗器５の回転軸５ａを該前面板２ａの前方に突出させている。また、環状の操作レバー４の外周面には複数の指掛用突起４ｂが一体に形成されていると共に、該操作レバー４の内側に半径方向に延びる２つの連通部４ｃ，４ｃを介して円板部４ｄが形成され、該円板部４ｄの中心に該円板部４ｄの前面に突出するハブ部４ｅおよび後面に突出するハブ部４ｆを形成している。このため２つの連通部４ｃ，４ｃの間に円弧状透孔４ｇ，４ｇが形成される。そして前記可変抵抗器５の回転軸５ａをハブ部４ｆに挿入することにより、該操作レバー４がハンドル基部２の前縁外周部に回転自在に支持される。６は他方のハブ部４ｅの外周に配置した操作レバー４復帰用のコイルバネで、該バネは一端を円板部４ｄの前面に形成されたフック４ｈに係合し他端を球面状殻部３の内面にビス７により止着することにより、操作レバー４を反時計回り方向に付勢している。
【０００９】
また、ハンドル基部２の前面外周縁寄りに３つの筒状ボス２ｂを突設し、該ボス２ｂを前記円弧状透孔４ｇ，４ｇを貫通させると共に、球面状殻部３の周縁部に該ボス２ｂ中にそれぞれ印籠状に合致し得る３つの突起３ａを形成し、該筒状ボス２ｂの背面からビス２ｃを貫挿し、該ビスを該突起３ａに螺締することにより、ハンドル基部２に球面状殻部３が固着される。また、球面状殻部３内面中心には前記ハブ部４ｅに遊嵌し回転軸５ａとともに操作レバー４を回転自在に支持している支軸３ｂが形成されている。なお、以上の構成は従来から知られている打球発射用ハンドルと略々同様であるが、タッチスイッチ、単発発射用のスイッチ、および、装飾用ランプ等は本発明と直接関係がないため、ここでは図示および説明を省略する。
【００１０】
しかして本発明では、球面状殻部３の前面上側に直径１ｍｍ程度の小孔８を適宜間隔で複数開設し、該小孔が該打球発射用ハンドルを握持する遊技者の手の平側に対向するようにすると共に、該球面状殻部３の裏面にチャンバ９をビス１０によって固着し、該各小孔８の裏側が該チャンバ９によって覆われるようにする。
【００１１】
１１はハンドル基部２内に設けたピストン・シリンダ型の吸気ポンプ、１２は該吸気ポンプを作動させるモータで、該吸気ポンプ１１およびモータ１２はハンドル基部２内に固設したフレーム１３に取り付けられる。そして図４にも示したように、該モータ１２の回転軸１２ａに傘歯車１４を固設し、該傘歯車１４と噛合する傘歯車１５を伝動軸１６の一端に固設し、該伝動軸１６の他端にピニオン１７を固設し、吸気ポンプ１１の作動軸１１ａにラック歯１８を固設し、ピニオン１７を該ラック歯１８に噛合させる。なお、伝動軸１６は両端部がフレーム１３に回転自在に軸支されたものである。また、１９はフレーム１３に固定されたリニヤガイドで、該リニヤガイドにより該ラック歯１８を矢印の方向に進退動可能に保持している。また、２０は吸気ポンプ１１の先端部に設けられた逆止弁、２１は該逆止弁に設けられた排気口、２２は該逆止弁を介して該吸気ポンプ１１と前記チャンバ９とを繋いでいる吸気ホースである。
【００１２】
このように構成した打球発射用ハンドルでは、モータ１２に通電して回転軸１２ａを正逆転させ、その動力を傘歯車１４、傘歯車１５、伝動軸１６、ピニオン１７、ラック歯１８を介して作動軸１１ａに伝達し吸気ポンプ１１を作動させることにより、チャンバ９内の空気が吸気ホース２２を介して該吸気ポンプ１１に吸引されることから、該チャンバ９内の空気圧が下がって小孔８から外の空気が吸引される。このため、該打球発射用ハンドルを握持している遊技者の手が該小孔８に吸着されたり、該小孔８に向かう空気の気流が手の触覚として感じられ、遊技中の遊技者に未だ経験したことがないような感触を与えることができる。また、小孔８を球面状殻部３の前面上側に開設し、該小孔がハンドルを握る遊技者の手の平の指の付け根に対向するようにすることで、このような気流を遊技者が敏感に感じ取るようにすることができる。
【００１３】
なお、この実施形態では、吸気ポンプ１１から押し出される空気が逆止弁２０の作用により排気口２１から放出されるようにすることで、小孔８からは専ら空気が吸引されるようにしている。そして、モータ１２を継続的に正逆転させることにより小孔８から繰り返し空気を吸引させることができる。
【００１４】
また、この実施形態ではピストン・シリンダ型の吸気ポンプ１１を使用したが、上記球面状殻部３の内部に図５に示したような蛇腹型の吸気ポンプ３０を配置し、その作動軸３１をモータ等の電動アクチュエータ（図示せず）により進退動させる構成を採ってもよい。なお、同図中、３２はこの蛇腹型ポンプの前端部に設けられた吸気用逆止弁、３３はこの蛇腹型ポンプの後端部に設けられた排気用逆止弁である。このような吸気ポンプ３０を上記吸気ポンプ１１に換えて使用することで上記小孔８から空気が吸引されるようにすることができる。
【００１５】
なお、吸気ポンプを作動させるタイミングは、遊技内容に応じた設定が可能であるが、例えばパチンコ遊技機における大当たり発生の予兆として小孔８から空気が吸引されるようにしたり、或いは大当たり発生確率が変動した際などに遊技者に与える信号として、小孔８から空気が吸引されるようにすることにより、今までにない斬新な演出をすることが可能になり、その遊技性を増大させることができる。
【図面の簡単な説明】
【００１６】
【図１】本発明に係る打球発射用ハンドルが設けられたパチンコ遊技機前面の一部の斜視図。
【図２】本発明に係る打球発射用ハンドルの内部構造を示す縦断面図。
【図３】本発明に係る打球発射用ハンドルの分解斜視図。
【図４】図２のＡ−Ａ線断面矢視図。
【図５】本発明の他の実施形態を示す吸気ポンプの斜視図。
【符号の説明】
【００１７】
１      打球発射用ハンドル
２      ハンドル基部
３      球面状殻部
４      操作レバー
５      可変抵抗器
８      小孔
９      チャンバ
１１    吸気ポンプ
１２    モータ
２０    吸気ホース
【図１】
2010094198.tif 000003
【図２】
2010094198.tif 000004
【図３】
2010094198.tif 000005
【図４】
2010094198.tif 000006
【図５】
2010094198.tif 000007